(57)【要約】【課題】  多数枚の証明写真を必要とし、就職活動や受験、各種申請書の取得等を行う、例えば４年制大学の３回生等に無料又は廉価でこれを頒布することができかつ、マンネリ広告を打破し、広告・宣伝費を低減し、訴求性の向上が図られる、広告及び情報提供方法を具現する。【解決手段】  事業体Ｆは、求人企業Ａ〜Ｅ等から提出された資料１をもとに広告媒体として記録媒体８を編集、制作し、就職活動を行う４年制大学の３回生Ｐ、Ｐ’等のうち、証明写真等を必要とする３回生には、証明写真等を上記記録媒体８の巻頭に収録し、また証明写真等を要しない３回生には、求人企業Ａ〜Ｅ等の資料１が収録された記録媒体８を無料又は廉価で頒布する。【選択図】図１
2005285084.tif 000002
【特許請求の範囲】
【請求項１】
証明写真を含む個人写真、集合写真及び各種写真等を必要とする特定個人又はこれを必要としない特定個人に、デジタルカメラで撮影した写真データやアナログカメラで撮影したフィルム写真をデジタルに変換したデータ又はビデオカメラで撮影した映像データを収録した電子記録媒体を介して、広告及び情報提供を行う方法であって、
証明写真を含む個人写真、集合写真及び各種写真等を要する特定個人又は、これを要しない特定個人に対する広告主及び情報提供依頼主を募集するステップと、
広告主及び情報提供依頼主からの広告及び情報内容を、着脱可能な電子記録媒体に編集すると共に、前記電子記録媒体を取得した、証明写真を要する特定個人又はこれを要しない特定個人が、デジタルカメラで撮影した写真データや、アナログカメラで撮影したフィルム写真をデジタルに変換したデータ又は、ビデオカメラで撮影した映像データを収録した電子記録媒体の広告及び情報内容を、端末装置で各種のジャンル別に分類し、再編集し、検索可能とするステップと、
前記電子記録媒体に、広告主及び情報提供依頼主へのアクセス方法、手段又は、広告商品、掲載情報等への発注、応募方法、手段等の機能を設けるステップと、
証明写真を含む個人写真、集合写真及び各種写真等を必要とする特定個人を募集し、デジタルカメラ、アナログカメラ又ビデオカメラ等による撮影及びデジタルデータへの変換ステップと、
広告及び情報内容、広告主及び情報提供依頼主へのアクセス方法、手段又は、広告商品、掲載情報等への発注、応募方法、手段等の機能を有する前記電子記録媒体の巻頭に、前記デジタルカメラ、アナログカメラ又ビデオカメラ等により撮影された特定個人の撮像を取り込むステップと、
証明写真を含む個人写真、集合写真及び各種写真等の撮影を依頼した特定個人には、証明写真を含む個人写真、集合写真及び各種写真入りの、前記電子記録媒体を無料又は有料頒布し、撮影を依頼しなかった特定個人には、広告及び情報内容等が収録された前記電子記録媒体を無料又は有料頒布するステップと、
とを含む、電子記録媒体による広告及び情報提供方法。
【請求項２】
前記電子記録媒体がＣＤ−ＲＯＭ、ＤＶＤ−ＲＯＭ、ＣＤ−ＲＷ、ＤＶＤ−ＲＷ、フラッシュ・メモリであることを特徴とする、請求項１記載の電子記録媒体による広告及び情報提供方法。
【請求項３】
前記広告及び情報内容が、証明写真を含む個人写真、集合写真及び各種写真等を必要とする特定個人又は、これを必要としない特定個人が、関心を有する企業体、又は団体の名称又は／及び商品、役務等であることを特徴とする、請求項１ないし請求項２記載の電子記録媒体による広告及び情報提供方法。
【請求項４】
前記端末装置でのジャンル別が、少なくとも業種別、広告主及び情報提供依頼主のアイウエオ順列、商品及び役務のアイウエオ順列等が配列可能とされていることを特徴とする、請求項１ないし請求項３記載の電子記録媒体による広告及び情報提供方法。
【請求項５】
広告主及び情報提供依頼主への商品、情報等への発注、応募等が、有線回線網、無線回線網又は郵送のうち少なくともいずれかでなされることを特徴とする、請求項１ないし請求項４記載の電子記録媒体による広告及び情報提供方法。
【請求項６】
前記電子記録媒体の表示面に、少なくとも証明写真を含む個人写真、集合写真及び各種写真等の表記と共に、収録されている広告主及び情報提供依頼主の名称、広告、情報等の収録内容が表記されていることを特徴とする、請求項１ないし請求項５記載の電子記録媒体による広告及び情報提供方法。
【請求項７】
前記集合写真が、学校行事を含む各種イベントにおける特定個人及び出席者等の写真であり、また前記各種写真が、広告主及び情報提供依頼主と関連ある商品、情報についてのものである他、少なくとも建築物の竣工写真、店舗写真、戸建て住宅、集合住宅、服飾品及びその他の生活関連商品等であることを特徴とする、請求項１ないし請求項６記載の電子記録媒体による広告及び情報提供方法。
【発明の詳細な説明】
【技術分野】
【０００１】  本発明は、電子記録媒体による広告及び情報提供方法に係り、詳しくは、証明用の写真を含む個人写真、集合写真及び各種写真等と共に、広告及び情報を収録した、電子記録媒体による広告及び情報提供方法に関する。
【背景技術】
【０００２】  各種の申請又は応募書類には証明写真を貼付しなければならない場合がある。例えば、履歴書、運転免許申請書、パスポート等多種類の書面があり、これを取得するための方法としては、フォト・スタディオ又は駅構内に設置されている証明写真コーナー等を利用している。特に４年制大学の３回生等の後期には、就職活動等のために多数枚の証明写真を用意する必要があり、その費用はかなりの高額となっている。【０００３】  一方、広告及び情報提供の媒体としては、従来からのチラシ広告、ポスターをはじめ、ＴＶ、ラジオ、新聞、雑誌等のマスメディア、インターネットによるホームページ等各種のものがある。チラシ広告、ポスター等の無料頒布や掲示物は、長年行われた広告手段であるためにマンネリ化して広告効果はあがらなく、ＴＶ、ラジオ等のマスメディア広告、情報媒体は、制作に長時間を要しまた、その制作費用が高額となる欠点があると共に、いずれも不特定多数の人々を対象とする、広告主又は情報提供者からの一方的な情報提供手段であり、受け手側の意志と関係なく無秩序に伝達されるので、その訴求効果も芳しくない。またインターネットのウェブサイトは、情報量が多大であるために、必要とする重要な情報の入手が困難である等の課題がある。【０００４】  特定個人を対象とし、証明写真を利用して広告宣伝料を得ることができる先行技術として、特開２００３−１７３４７１が開示されている。【０００５】  これは、撮影手段、プリント手段及び撮影手段とプリント手段を制御する制御手段を備える写真装置において、制御手段は１枚のプリント用紙にプリント処理するコマ数を決定するコマ数決定機能と、コマ数決定機能で決定されたコマ数に応じて料金を算出するプリント料金算出機能と最大コマ数よりプリントされるコマ数が少ない場合にはプリント用紙の空いてるコマ位置に各種情報をプリントする情報プリント処理機能とを備えたことを特徴とし、空いてるコマ位置の各種情報の広告主から広告宣伝料を得るようになっている。
【特許文献１】特開２００３−１７３４７１号公報
【発明の開示】
【発明が解決しようとする課題】
【０００６】  しかしながら上記、特許文献１においては、コマ位置が空いてる場合にのみ広告が可能でかつ、広告スペースも狭少であるために、その広告効果は期待できないし、広告主が付き難いという欠点もある。【０００７】  本発明は、上記、従来技術の諸課題に鑑み、多数枚の証明写真を必要とする、例えば就職活動や受験、各種の申請書の取得等を行う、４年制大学の３回生、短期大学の１回生、専門学校生、予備校生、高校生、中学生又は一般成人等には、無料又は廉価でこれを頒布することができると共に、マンネリ広告を打破し、広告・宣伝費を低減し、訴求性の向上が図られる、広告及び情報提供方法の具現を目的としている。
【課題を解決するための手段】
【０００８】  請求項１に係る、電子記録媒体による広告及び情報提供方法は、証明写真を含む個人写真、集合写真及び各種写真等を必要とする特定個人又はこれを必要としない特定個人に、デジタルカメラで撮影した写真データやアナログカメラで撮影したフィルム写真をデジタルに変換したデータ又はビデオカメラで撮影した映像データを収録した電子記録媒体を介して、広告及び情報提供を行う方法であって、証明写真を含む個人写真、集合写真及び各種写真等を要する特定個人又は、これを要しない特定個人に対する広告主及び情報提供依頼主を募集するステップと、広告主及び情報提供依頼主からの広告及び情報内容を、着脱可能な電子記録媒体に編集すると共に、前記電子記録媒体を取得した、証明写真を要する特定個人又はこれを要しない特定個人が、デジタルカメラで撮影した写真データや、アナログカメラで撮影したフィルム写真をデジタルに変換したデータ又は、ビデオカメラで撮影した映像データを収録した電子記録媒体の広告及び情報内容を、端末装置で各種のジャンル別に分類し、再編集し、検索可能とするステップと、前記電子記録媒体に、広告主及び情報提供依頼主へのアクセス方法、手段又は、広告商品、掲載情報等への発注、応募方法、手段等の機能を設けるステップと、証明写真を含む個人写真、集合写真及び各種写真等を必要とする特定個人を募集し、デジタルカメラ、アナログカメラ又ビデオカメラ等による撮影及びデジタルデータへの変換ステップと、広告及び情報内容、広告主及び情報提供依頼主へのアクセス方法、手段又は、広告商品、掲載情報等への発注、応募方法、手段等の機能を有する前記電子記録媒体の巻頭に、前記デジタルカメラ、アナログカメラ又ビデオカメラ等により撮影された特定個人の撮像を取り込むステップと、証明写真を含む個人写真、集合写真及び各種写真等の撮影を依頼した特定個人には、証明写真を含む個人写真、集合写真及び各種写真入りの、前記電子記録媒体を無料又は有料頒布し、撮影を依頼しなかった特定個人には、広告及び情報内容等が収録された前記電子記録媒体を無料又は有料頒布するステップと、を含むことを特徴としている。【０００９】  請求項２は、請求項１記載の電子記録媒体による広告及び情報提供方法において、
前記電子記録媒体がＣＤ−ＲＯＭ、ＤＶＤ−ＲＯＭ、ＣＤ−ＲＷ、ＤＶＤ−ＲＷ、フラッシュ・メモリであることを、特徴としている。【００１０】  請求項３は、請求項１ないし請求項２記載の電子記録媒体による広告及び情報提供方法において、前記広告及び情報内容が、証明写真を含む個人写真、集合写真及び各種写真等を必要とする特定個人又は、これを必要としない特定個人が、関心を有する企業体、又は団体の名称又は／及び商品、役務等であることを、特徴としている。【００１１】  請求項４は、請求項１ないし請求項３記載の電子記録媒体による広告及び情報提供方法において、前記端末装置でのジャンル別が、少なくとも業種別、広告主及び情報提供依頼主のアイウエオ順列、商品及び役務のアイウエオ順列等が配列可能とされていることを、特徴としている。【００１２】  請求項５は、請求項１ないし請求項４記載の電子記録媒体による広告及び情報提供方法において、広告主及び情報提供依頼主への商品、情報等への発注、応募等が、有線回線網、無線回線網又は郵送のうち、少なくともいずれかでなされることを、特徴としている。【００１３】  請求項６は、請求項１ないし請求項５記載の電子記録媒体による広告及び情報提供方法において、前記電子記録媒体の表示面に、少なくとも証明写真を含む個人写真、集合写真及び各種写真等の表記と共に、収録されている広告主及び情報提供依頼主の名称、広告、情報等の収録内容が表記されていることを、特徴としている。【００１４】  請求項７は、請求項１ないし請求項６記載の電子記録媒体による広告及び情報提供方法において、前記集合写真が、学校行事を含む各種イベントにおける特定個人及び出席者等の写真であり、また前記各種写真が、広告主及び情報提供依頼主と関連ある商品、情報についてのものである他、少なくとも建築物の竣工写真、店舗写真、戸建て住宅、集合住宅、服飾品及びその他の生活関連商品等であることを特徴としている。
【発明の効果】
【００１５】  本発明に係る、電子記録媒体による広告及び情報提供方法は、上記の構成になるから以下の効果を奏する。即ち、請求項１ないし請求項３の発明によれば、証明用写真を含む個人写真、集合写真及び各種写真等と広告、情報を合体収録した、電子記録媒体による広告及び情報提供方法であるために、従来にない斬新な広告媒体として注目され、かつ証明写真を含む個人写真、集合写真及び各種写真等を要する特定個人又はこれを要しない特定個人を広告及び情報提供対象者とするために、広告主及び情報提供依頼主の募集が容易であり、制作も短時間ですむので制作コストが低減できる。さらに証明写真を含む個人写真、集合写真及び各種写真等を要する特定個人又はこれを要しない特定個人は、自ら所望する内容の電子記録媒体を無料又は廉価で取得でき、
個々の端末装置で各種の広告、情報を自由に抽出、検索が可能であるという利便性があり、ひいては、訴求力の向上につながる。【００１６】  請求項４の発明によれば、電子記録媒体の取得者が、各種の広告及び情報を希望するジャンル毎に配列して所望の広告等を容易に検索、閲覧が可能である。【００１７】  請求項５の発明によれば、電子記録媒体の取得者は、自己の好都合な時、手段で商品、情報等への発注、応募等ができる。【００１８】  請求項６の発明によれば、電子記録媒体の表示面に収録されている広告主及び情報提供依頼主の名称、広告、情報等の収録内容が表記されているので、証明用写真を含む個人写真、集合写真及び各種写真等を必要とする特定個人又はこれを必要としない特定個人は、その収録内容に応じてこれを選択することができる。【００１９】  請求項７の発明によれば、集合写真が、学校行事を含む各種イベントにおける特定個人及び出席者等の写真であり、また前記各種写真が、広告主及び情報提供依頼主と関連ある商品、情報についてのものである他、少なくとも建築物の竣工写真、店舗写真、戸建て住宅、集合住宅、服飾品及びその他の商品等が、収録されているので、必要な商品や情報を自由に視認し、商品発注やイベント等への参加を促進させる。
【発明を実施するための最良の形態】
【００２０】  以下、この発明に係る好適な実施形態を図面に基づいて説明する。図１は、この発明の構成を示す概略説明図、図２は、同動作の流れを示すフローチャート図、図３及び図４は、同実施形態における収録及び編集方法等を示す概略説明図で、図５（ａ）及び図５（ｂ）は、電子記録媒体の平面図である。【００２１】  図１においてＦは、写真撮影と共に広告事業を行うか又は、広告企業等と提携する、フォト・スタディオ等の事業体で、Ｕは４年制大学（以下、大学という）を示し、Ｐは、大学Ｕに在学中の証明写真を必要とし、就職活動を行う大学Ｕの３回生で、Ｐ’は、証明写真を必要としない、就職活動を行う大学Ｕの３回生であり、Ａは求人企業（メーカー部門）、Ｂは求人企業（セールス部門）、Ｃは、就職支援セミナー企業、Ｄは不動産関連企業、Ｅは旅行会社等を示している。【００２２】  本発明に係る、電子記録媒体による広告及び情報提供方法の動作を、図２に基づいて説明すれば、ステップＳＴ１は、事業体Ｆによる、広告主及び情報提供依頼主を募集する過程で、ステップＳＴ２は、応募された広告、情報内容をＣＤ−ＲＯＭ等の電子記録媒体８（以下、記録媒体８という）の編集過程で、ステップＳＴ３は、記録媒体１の収録内容を、特定個人である３回生Ｐ又はＰ’が自己の端末装置ＰＣでジャンル別に分類し、再編集し検索可能とする過程で、ステップＳＴ４は、記録媒体１に、求人企業Ａ、Ａ’、Ｂ、Ｂ’、就職支援セミナー企業Ｃ、不動産関連企業Ｄ、旅行会社Ｅ等へのアクセス方法、手段又は、広告商品、掲載情報等への発注、応募方法、手段等の機能を設定する過程で、ステップＳＴ５は、写真撮影を希望する３回生を募集し、デジタルカメラ等による撮影とデータ変換過程で、ステップＳＴ６は、撮影された３回生Ｐの撮像と変換されたデータを、予め各種広告、情報等を収録済みの記録媒体１の巻頭に取り込む過程で、ステップＳＴ７は、証明写真を含む個人写真、集合写真及び各種写真入りの記録媒体８を３回生Ｐ、証明写真なしの記録媒体８’を３回生Ｐに無料又は有料で頒布し、終了となる。【００２３】  図１及び図３に示すように事業体Ｆは、大学Ｕの就職課に求人申し込みを行った、各企業Ａ〜Ｅ等にこの発明に係る広告方法の趣旨を説明し、スポンサー契約を要請し、これに同意した各企業Ａ〜Ｅは、事業体Ｆに自社の求人要項、ＰＲ記事、各種広告資料１（以下、資料１という）を提出する。事業体Ｆは、その資料１をパソコンＰＣに接続されたスキャナ２、マウス３、キーボード４等により読み込みと書き込みを行ってデジタルデータに変換し、これを画像処理装置５で保存し、つづいて編集装置６で、データの編集作業を行い、さらに収録装置７によりＣＤ−ＲＯＭ等の電子記録媒体（以下、記録媒体８という）に収録する。【００２４】  つぎに、図４に示すように事業体Ｆは、ＣＣＤカメラ９等で証明写真を必要とする３回生Ｐを撮影し、パソコンＰＣに接続きれた自動加工装置１０により、各種サイズの証明写真を設定し、さらに、他の個人写真、集合写真及び各種写真等のデータを変換して収録し、かつ撮影した３回生Ｐの氏名、住所、生年月日等の個人情報をキーボード４で入力し、パソコンＰＣのディスプレイ１１に表示する。そしてこ��を予め求人企業の広告記事、情報等を収録している記録媒体８の巻頭に編集装置６と収録装置７により収録すると共に、図５（ａ）及び図５（ｂ）に示すように、プリント装置１２により、被撮影者の氏名８ｂ、証明写真８ｃ、求人企業の業種８ｄ、求人企業名８ｅ等を記録媒体８の表示面８ａにプリントして記録媒体８の制作は終了する。なお８ｆは包装ケースである。【００２５】  事業体Ｆは、図５（ａ）及び図５（ｂ）に示す、証明写真を含む個人写真、集合写真及び各種写真等が入った記録媒体８を被撮影者に、又は証明写真なしの記録媒体８’を、それぞれ３回生Ｐ又は３回生Ｐ’に無料又は廉価で頒布する。【００２６】  記録媒体８を取得した３回生Ｐは、端末装置（不図示）でこれを起動し、自己の希望する求人企業を検索し、インターネットＮによる応募が可能であれば、履歴書・自己申告書に証明写真を貼付し、所定の個人情報を入力し、インターネットＮを介して送信することができ、また求人企業が希望する他の方法例えば、Ｅメール、ＦＡＸあるいは郵送等によっても応募することもできる。【００２７】  記録媒体８’を取得した証明写真なし３回生Ｐ’は、端末装置（不図示）でこれを起動し、自己の希望する求人企業を検索し、インターネットＮによる応募が可能であれば、履歴書・自己申告書に所定の個人情報を入力し、インターネットＮを介して送信することができ、また求人企業が希望する他の方法例えば、Ｅメール、ＦＡＸあるいは郵送などによっても応募することもできる。【００２８】  なお、上述の実施形態は、４年制大学の３回生を例示して説明したが、多数枚の証明写真を必要とする、就職活動や受験、各種申請書の取得等を行う、短期大学の１回生、専門学校生、予備校生、高校生、中学生又は一般成人等も含まれるのは自明である。
【産業上の利用可能性】
【００２９】  証明用写真を含む個人写真、集合写真及び各種写真等と各種広告、情報を合体収録した、記録媒体８による広告及び情報提供方法であるために、従来にない斬新な広告媒体として注目され、証明写真を要する特定個人又はこれを要しない特定個人をも広告及び情報提供対象者とするために、訴求力の向上につながり、広告主及び情報提供依頼主の募集が容易であり、制作も短時間ですむので制作コストが低減でき、さらに就職希望の３回生Ｐ、Ｐ’は、自ら所望する内容の記録媒体８を無料又は廉価で取得でき、個々の端末装置で各種の広告、情報を自由に抽出、検索が可能であり、希望する企業等への就職活動が容易となり、求人側の企業体等は優秀な人材を採用することができ、これに伴い、広告業界はいうにおよばず、他の不動産、服飾業界、旅行、生活必需品業界等にも活況を呈する可能性が考えられる。
【図面の簡単な説明】
【００３０】
【図１】この発明の構成を示す概略説明図である。
【図２】同動作の流れを示すフローチャート図である。
【図３】同実施形態における収録及び編集方法等を示す概略説明図である。
【図４】同実施形態における収録及び編集方法等を示す概略説明図である。
【図５】（ａ）同記録媒体１の平面図である。
【図５】（ｂ）同記録媒体１の平面図である。
【符号の説明】
【００３１】Ｆ            事業体
Ｕ            大学
Ａ、Ａ’      求人企業
Ｂ、Ｂ’      求人企業
Ｃ            就職支援セミナー企業
Ｄ            不動産関連企業
Ｅ            旅行会社
Ｐ            ３回生
Ｐ’          ３回生
ＰＣ          パソコン
１            資料
２            スキャナ
３            マウス
４            キーボード
５            画像処理装置
６            編集装置
７            収録装置
８、８’      記録媒体
９            ＣＣＤカメラ
１０          自動加工装置
１１          ディスプレイ
１２          プリント装置
【図１】
2005285084.tif 000003
【図２】
2005285084.tif 000004
【図３】
2005285084.tif 000005
【図４】
2005285084.tif 000006
【図５】
2005285084.tif 000007